(57)【特許請求の範囲】
【請求項１】
コンクリートセグメントの内側面の隅角部にアンカー付き補強鋼板を設置する方法であって、
コンクリートを打設してコンクリートセグメントを成形するための型枠の内面隅角部に、前記アンカー付き補強鋼板を固定状態に保持するための保持部材を設け、
この保持部材で前記アンカー付き補強鋼板を前記型枠の内面隅角部に固定して、
前記型枠内に鉄筋籠を設置してからコンクリートを打設することを特徴とするコンクリートセグメントの補強鋼板設置方法。
【請求項２】
前記保持部材として磁石を前記型枠の内面隅角部に固定しておき、
この磁石で前記アンカー付き補強鋼板を吸着することにより、前記型枠の内面隅角部に前記アンカー付き補強鋼板を固定することを特徴とする請求項１に記載のコンクリートセグメントの補強鋼板設置方法。
【請求項３】
前記保持部材としてナイロンボルトを前記型枠の内面隅角部に固定しておき、
このナイロンボルトを前記アンカー付き補強鋼板に形成した貫通孔から突出させてナットを結合することにより、前記型枠の内面隅角部に前記アンカー付き補強鋼板を固定することを特徴とする請求項１に記載のコンクリートセグメントの補強鋼板設置方法。
【請求項４】
前記コンクリートを打設して養生した後、脱型により前記ナイロンボルトが切断されることを特徴とする請求項３に記載のコンクリートセグメントの補強鋼板設置方法。
【請求項５】
前記ナイロンボルトが切断されて前記アンカー付き補強鋼板の貫通孔に残った切れ端を外して、前記貫通孔にモルタルを埋めることを特徴とする請求項４に記載のコンクリートセグメントの補強鋼板設置方法。
【発明の詳細な説明】
【技術分野】
【０００１】
本発明は、コンクリートセグメントの隅角部に設置するアンカー付き補強鋼板の設置方法に関する。
【背景技術】
【０００２】
シールドトンネルの施工に用いられるコンクリートセグメントには、その接合端面の内側にボルトボックスが設けられ、そのボルトボックス内から接合端面にかけてＬ型補強鋼板が設けられる（例えば特許文献１参照）。
【０００３】
ところで、コンクリートセグメントの組み立てにおいては、組み立てようとするセグメントが既組立部にぶつかり、隅角部に欠けが発生するケースがある。その欠け対策として、図６に示すように、コンクリートセグメントＣの隅角部にアンカーＡ付き補強鋼板Ｓを設置することが行われる。
【先行技術文献】
【特許文献】
【０００４】
【特許文献１】特開平５−１７３５６号公報
【発明の概要】
【発明が解決しようとする課題】
【０００５】
蒲鉾型の型枠を用いた標準的なコンクリートセグメントの製造法において、隅角部へのアンカー付き補強鋼板の設置を考えると、外側面に対しては、図７に示すように、コンクリート打設直後のセグメントＣの表面にアンカーＡ付き補強鋼板Ｓを目視セットで正確に押し込む作業は問題なく行える。
しかし、内側面に対しては、図８に示すように、コンクリート打設前の型枠内の鉄筋篭Ｔの下にアンカーＡ付き補強鋼板Ｓをセットしておいてからコンクリートを打設するので、補強鋼板Ｓの固定が不安定だと、コンクリートの打設圧で補強鋼板Ｓが動いてしまい、所定の位置に設置できなくなってしまう。
【０００６】
本発明の課題は、コンクリートセグメントにおいて、内側面の隅角部にアンカー付き補強鋼板をズレなく正確な位置に設置できるようにすることである。
【課題を解決するための手段】
【０００７】
以上の課題を解決するため、請求項１に記載の発明は、コンクリートセグメントの内側面の隅角部にアンカー付き補強鋼板を設置する方法であって、コンクリートを打設してコンクリートセグメントを成形するための型枠の内面隅角部に、前記アンカー付き補強鋼板を固定状態に保持するための保持部材を設け、この保持部材で前記アンカー付き補強鋼板を前記型枠の内面隅角部に固定して、前記型枠内に鉄筋籠を設置してからコンクリートを打設することを特徴とする。
【０００８】
請求項２に記載の発明は、請求項１に記載のコンクリートセグメントの補強鋼板設置方法であって、前記保持部材として磁石を前記型枠の内面隅角部に固定しておき、この磁石で前記アンカー付き補強鋼板を吸着することにより、前記型枠の内面隅角部に前記アンカー付き補強鋼板を固定することを特徴とする。
【０００９】
請求項３に記載の発明は、請求項１に記載のコンクリートセグメントの補強鋼板設置方法であって、前記保持部材としてナイロンボルトを前記型枠の内面隅角部に固定しておき、このナイロンボルトを前記アンカー付き補強鋼板に形成した貫通孔から突出させてナットを結合することにより、前記型枠の内面隅角部に前記アンカー付き補強鋼板を固定することを特徴とする。
【００１０】
請求項４に記載の発明は、請求項３に記載のコンクリートセグメントの補強鋼板設置方法であって、前記コンクリートを打設して養生した後、脱型により前記ナイロンボルトが切断されることを特徴とする。
【００１１】
請求項５に記載の発明は、請求項４に記載のコンクリートセグメントの補強鋼板設置方法であって、前記ナイロンボルトが切断されて前記アンカー付き補強鋼板の貫通孔に残った切れ端を外して、前記貫通孔にモルタルを埋めることを特徴とする。
【発明の効果】
【００１２】
本発明によれば、コンクリートセグメントの内側面の隅角部にアンカー付き補強鋼板をズレなく正確な位置に設置することができる。
【図面の簡単な説明】
【００１３】
【図１】本発明を適用した実施形態１の構成を示すもので、型枠内の要部の斜視図である。
【図２】図１の型枠内へのアンカー付き補強鋼板のセット状態を示した図である。
【図３】実施形態２の型枠内の要部の斜視図である。
【図４】図３の型枠内へのアンカー付き補強鋼板のセット状態を示した図である。
【図５】ナイロンボルトの切れ端を外してモルタルで穴埋めした状態の図である。
【図６】隅角部にアンカー付き補強鋼板を設置したコンクリートセグメントの一例を示し斜視図である。
【図７】セグメント外側面へのアンカー付き補強鋼板のセットの仕方を説明する図である。
【図８】セグメント内側面へのアンカー付き補強鋼板のセットの仕方を説明する図である。
【発明を実施するための形態】
【００１４】
以下、図を参照して本発明を実施するための形態を詳細に説明する。
〔実施形態１〕
図１は本発明を適用した実施形態１の構成として型枠内の要部を示したもので、図中、Ｍは磁石、Ｐ１は底板、Ｐ２は側板、Ｐ３は端板である。
【００１５】
底板Ｐ１、側板Ｐ２及び端板Ｐ３は、前述したコンクリートセグメントＣを成形するための型枠を構成するもので、図示のように、底板Ｐ１の隅角部には、前述したアンカーＡ付き補強鋼板Ｓを固定状態に保持するための保持部材として複数（図示例では二個）の強力な磁石Ｍが埋め込み固定して設けられている。
【００１６】
具体的には、底板Ｐ１の隅角部に、必要な磁石Ｍに対応した数の図示しない窪みが予め形成されていて、その窪みに磁石Ｍが埋め込み固定されている。
【００１７】
図２は型枠内へのアンカーＡ付き補強鋼板Ｓのセット状態を示したもので、図示のように、底板Ｐ１、側板Ｐ２及び端板Ｐ３による型枠の内面隅角部にアンカーＡ付き補強鋼板Ｓが、底板Ｐ１の隅角部に埋め込み固定した複数の強力な磁石Ｍの磁力によって吸着状態に固定されている。
【００１８】
その後、型枠内に、前述した鉄筋篭Ｔを設置してから、コンクリートを打設する。
【００１９】
そして、養生した後、型枠を脱型する。このとき、アンカーＡのコンクリートへの定着力は磁石Ｍの磁力より大きいため、アンカーＡ付き補強鋼板ＳはセグメントＣに残る。
【００２０】
こうして、コンクリートセグメントＣの内側面の隅角部にアンカーＡ付き補強鋼板Ｓをズレなく正確な位置に設置することができる。
【００２１】
〔実施形態２〕
図３は実施形態２の型枠内の要部を示したもので、図中、前述した実施形態１と同様、Ｐ１は底板、Ｐ２は側板、Ｐ３は端板であって、Ｂはナイロンボルトである。
【００２２】
図示のように、底板Ｐ１の隅角部には、前述したアンカーＡ付き補強鋼板Ｓの保持部材として一本のナイロンボルトＢが起立した状態に固定して設けられている。
【００２３】
具体的には、底板Ｐ１の隅角部に図示しないボルト孔が予め形成されていて、そのボルト孔にナイロンボルトＢがねじ込んで固定されている。
【００２４】
図４は型枠内へのアンカーＡ付き補強鋼板Ｓのセット状態を示したもので、図示のように、底板Ｐ１、側板Ｐ２及び端板Ｐ３による型枠の内面隅角部にアンカーＡ付き補強鋼板Ｓが、底板Ｐ１の隅角部にねじ込んで固定したナイロンボルトＢを、アンカーＡ付き補強鋼板Ｓに貫通して突出させてナットＮを締め込んで固定されている。
【００２５】
具体的には、アンカーＡ付き補強鋼板Ｓに貫通孔Ｈ（図５参照）が予め形成されていて、その貫通孔ＨからナイロンボルトＢを突出させて、その突出したナイロンボルトＢにナットＮを締め込むことによって固定されている。
【００２６】
その後、前述した実施形態１と同様、型枠内に、前述した鉄筋篭Ｔを設置してから、コンクリートを打設する。
【００２７】
そして、養生した後、型枠を脱型する。このとき、アンカーＡのコンクリートへの定着力はナイロンボルトＢの強度より大きいため、ナイロンボルトＢが底板Ｐ１との境目で切れて、アンカーＡ付き補強鋼板ＳはセグメントＣに残る。
【００２８】
アンカーＡ付き補強鋼板Ｓの貫通孔ＨからナイロンボルトＢの切れ端を外して、貫通孔Ｈに図示しないモルタルを埋める。
【００２９】
図５はナイロンボルトＢの切れ端を外してモルタルで穴埋めした状態を示したもので、図示のように、コンクリートセグメントＣの内側面の隅角部にアンカーＡ付き補強鋼板Ｓが沈み込むこともなく所定の位置に埋まっている。
【００３０】
こうして、コンクリートセグメントＣの内側面の隅角部にアンカーＡ付き補強鋼板Ｓをズレなく正確な位置に設置することができる。
【００３１】
なお、以上の実施形態においては、保持部材として磁石またはナイロンボルトとしたが、本発明はこれに限定されるものではなく、一時的に保持可能な機能を具備する他の部材であっても良い。
また、各部の寸法・形状等も任意であり、その他、具体的な細部構造等についても適宜に変更可能であることは勿論である。
【符号の説明】
【００３２】
Ａ  アンカー
Ｂ  ナイロンボルト（保持部材）
Ｃ  コンクリートセグメント
Ｈ  貫通孔
Ｍ  磁石（保持部材）
Ｎ  ナット
Ｐ１・Ｐ２・Ｐ３  型枠
Ｓ  補強鋼板
Ｔ  鉄筋篭
【図１】
0005726458.tif 000002
【図２】
0005726458.tif 000003
【図３】
0005726458.tif 000004
【図４】
0005726458.tif 000005
【図５】
0005726458.tif 000006
【図６】
0005726458.tif 000007
【図７】
0005726458.tif 000008
【図８】
0005726458.tif 000009